(57)【要約】  換気装置（１）は、複数の仕切部材（１０ａ）が積層されて形成された熱交換器（１０）と、熱交換器（１０）を内部に収容して、積層方向に沿った熱交換器（１０）の一端側を覆う一端側壁部（１９）と、積層方向に沿った熱交換器（１０）の他端側を覆う他端側壁部（５５）と、を有するとともに、熱交換器（１０）の周囲を排気流流入空間（３６）と、排気流流出空間（３７）と、給気流流入空間（３８）と、給気流流出空間とに区画する筐体（５０）と、を備える。排気流は、熱交換換気時には排気流流出空間（３７）を通過し、普通換気時には給気流流入空間（３８）を通過する。給気流は、熱交換換気時には給気流流入空間（３８）を通過し、普通換気時には排気流流出空間（３７）を通過する。
2018173277.tif 000002
【特許請求の範囲】
【請求項１】
複数の仕切部材が積層されて、前記仕切部材の積層方向と垂直な方向を向いて排気流が流入する排気流流入面と、前記仕切部材の積層方向と垂直な方向を向いて前記排気流が流出する排気流流出面と、前記仕切部材の積層方向と垂直な方向を向いて給気流が流入する給気流流入面と、前記仕切部材の積層方向と垂直な方向を向いて前記給気流が流出する給気流流出面とが形成された熱交換器と、
前記熱交換器を内部に収容して、前記積層方向に沿った前記熱交換器の一端側を覆う一端側壁部と、前記積層方向に沿った前記熱交換器の他端側を覆う他端側壁部と、を有するとともに、前記排気流流入面が露出する排気流流入空間と、前記排気流流出面が露出する排気流流出空間と、前記給気流流入面が露出する給気流流入空間と、前記給気流流出面が露出する給気流流出空間とに区画する筐体と、を備え、
前記一端側壁部には、前記排気流流入空間に連通する第１の開口と、前記排気流流出空間に連通する第２の開口と、前記給気流流入空間に連通する第３の開口と、前記給気流流出空間に連通する第４の開口とが形成され、
前記筐体には、前記排気流流出空間に連通する第５の開口と、前記給気流流入空間に連通する第６の開口が形成され、
前記第１の開口および前記第３の開口のいずれか一方を選択的に閉鎖する第１のダンパーと、
前記第２の開口および前記第４の開口のいずれか一方を選択的に閉鎖する第２のダンパーと、をさらに備えることを特徴とする換気装置。
【請求項２】
前記第１の開口および前記第３の開口に向けて空気を送り込む第１の送風機と、
前記第２の開口および前記第４の開口を通じて空気を吸い出す第２の送風機と、をさらに備えることを特徴とする請求項１に記載の換気装置。
【請求項３】
前記第１の送風機および前記第２の送風機は、前記一端側壁部を挟んで前記熱交換器の反対側に設けられることを特徴とする請求項２に記載の換気装置。
【請求項４】
前記第１の送風機および前記第２の送風機を内部に収容する送風機部をさらに備え、
前記送風機部のうち前記一端側壁部と対向する部分にダクトが接続されるダクト接続部が設けられていることを特徴とする請求項３に記載の換気装置。
【請求項５】
前記第５の開口および前記第６の開口は、前記他端側壁部に形成されることを特徴とする請求項１から請求項４のいずれか１つに記載の換気装置。
【請求項６】
前記第５の開口に向けて空気を送り込む第１の送風機と、
前記第６の開口を通じて空気を吸い出す第２の送風機と、をさらに備えることを特徴とする請求項１に記載の換気装置。
【請求項７】
前記第１の送風機および前記第２の送風機は、前記他端側壁部を挟んで前記熱交換器の反対側に設けられることを特徴とする請求項６に記載の換気装置。
【請求項８】
前記第１の送風機および前記第２の送風機を内部に収容する送風機部をさらに備え、
前記送風機部のうち前記他端側壁部と対向する部分にダクトが接続されるダクト接続部が設けられていることを特徴とする請求項７に記載の換気装置。
【請求項９】
前記第５の開口および前記第６の開口は、前記他端側壁部に形成されることを特徴とする請求項６から請求項８のいずれか１つに記載の換気装置。
【請求項１０】
前記筐体は、前記一端側壁部を挟んで前記熱交換器の反対側に設けられて前記第５の開口および前記第６の開口を覆うダクト接続箱を有し、
前記ダクト接続箱のうち前記一端側壁部と対向する部分にダクトが接続されるダクト接続部が設けられていることを特徴とする請求項６から請求項９のいずれか１つに記載の換気装置。
【請求項１１】
前記第１のダンパーと前記第２のダンパーとが一体に形成されており、前記第１の開口と前記第４の開口とを閉鎖する状態と、前記第２の開口と前記第３の開口とを閉鎖する状態とに切替え可能とされることを特徴とする請求項１から請求項１０のいずれか１つに記載の換気装置。
【発明の詳細な説明】
【技術分野】
【０００１】
本発明は、給気流と排気流との間で熱交換を行いながら換気を行う換気装置に関する。
【背景技術】
【０００２】
空調された室内を換気する際、空調に使用されたエネルギーを回収するために、熱回収用の熱交換器を備えた熱回収型の換気装置が使用される場合がある。熱回収型の換気装置は、室外の空気を室内へ給気する給気流を通過させる給気用風路と、室内の空気を室外へ排気する排気流を通過させる排気用風路と、給気流と排気流とを熱交換器に通過させて給気流と排気流との間で熱交換を行なう熱交換器とを備える。また、特許文献１に開示されているように、熱交換器を迂回する非熱交換風路である普通風路をさらに備えて、普通風路の開閉を行なう切換手段の切換えによって熱交換をしない普通換気と、熱交換を行う熱交換換気とのいずれかのモードで換気を行うことができる換気装置もある。
【先行技術文献】
【特許文献】
【０００３】
【特許文献１】特許第３４３８２８０号公報
【発明の概要】
【発明が解決しようとする課題】
【０００４】
普通風路を備える換気装置には、給気流をバイパスさせる普通風路または排気流をバイパスさせる普通風路のいずれか一方のみを備える換気装置がある。このような換気装置では、普通換気を行う際に、熱交換が行われないにもかかわらずバイパスされない風路を通過する気流が熱交換器を通過する。そのため、気流が熱交換器を通過する風路では圧力損失が大きくなり、風量確保のために送風機が大型化する。これにより、消費電力の増大および騒音の増大を招いてしまう。【０００５】
一方、給気流をバイパスさせる普通風路および排気流をバイパスさせる普通風路の両方を備える換気装置もあるが、普通風路を多く設けるために装置が大型化してしまうという問題がある。【０００６】
本発明は、上記に鑑みてなされたものであって、製品の大型化を抑えつつ、普通換気時の圧力損失の軽減および普通換気時の騒音の抑制を図ることができる換気装置を得ることを目的とする。
【課題を解決するための手段】
【０００７】
上述した課題を解決し、目的を達成するために、本発明にかかる換気装置は、複数の仕切部材が積層されて、仕切部材の積層方向と垂直な方向を向いて排気流が流入する排気流流入面と、仕切部材の積層方向と垂直な方向を向いて排気流が流出する排気流流出面と、仕切部材の積層方向と垂直な方向を向いて給気流が流入する給気流流入面と、仕切部材の積層方向と垂直な方向を向いて給気流が流出する給気流流出面とが形成された熱交換器と、熱交換器を内部に収容して、熱交換器の積層方向に沿った一端側を覆う一端側壁部と、熱交換器の積層方向に沿った他端側を覆う他端側壁部と、を有するとともに、排気流流入面が露出する排気流流入空間と、排気流流出面が露出する排気流流出空間と、給気流流入面が露出する給気流流入空間と、給気流流出面が露出する給気流流出空間とに区画する筐体と、を備える。一端側壁部には、排気流流入空間に連通する第１の開口と、排気流流出空間に連通する第２の開口と、給気流流入空間に連通する第３の開口と、給気流流出空間に連通する第４の開口とが形成される。筐体には、排気流流出空間に連通する第５の開口と、給気流流入空間に連通する第６の開口が形成される。換気装置は、第１の開口および第３の開口のいずれか一方を選択的に閉鎖する第１のダンパーと、第２の開口および第４の開口のいずれか一方を選択的に閉鎖する第２のダンパーと、をさらに備える。
【発明の効果】
【０００８】
本発明にかかる換気装置は、製品の大型化を抑えつつ、普通換気時の圧力損失の軽減および普通換気時の騒音の抑制を図ることができるという効果を奏する。
【図面の簡単な説明】
【０００９】
【図１】本発明の実施の形態１にかかる換気装置の斜視図
【図２】実施の形態１にかかる換気装置の平面図
【図３】実施の形態１にかかる換気装置の内部構成を示す斜視図
【図４】図２に示すＩＶ−ＩＶ線で切断した矢視断面図
【図５】図２に示すＶ−Ｖ線で切断した矢視断面図
【図６】実施の形態１における熱交換部の斜視図であって、ダンパーが上方に位置する状態を示す図
【図７】実施の形態１における熱交換部の斜視図であって、ダンパーが下方に位置する状態を示す図
【図８】実施の形態１における上下仕切部材の詳細な構成を示す斜視図
【図９】実施の形態１における上下仕切部材の詳細な構成を示す斜視図
【図１０】実施の形態１にかかる換気装置が、熱交換換気を行っている状態を示す斜視図
【図１１】図１０に示す状態から送風機部を省略して示す図
【図１２】実施の形態１にかかる換気装置が、普通換気を行っている状態を示す斜視図
【図１３】図１２に示す状態から送風機部を省略して示す図
【図１４】実施の形態１にかかる換気装置における、室内温度検知サーミスタが検知する室内温度と熱交換換気時外気温度検知サーミスタもしくは普通換気時外気温度検知サーミスタが検知する外気温度による普通換気と熱交換換気の判定マップの一例を示す図
【図１５】本発明の実施の形態２にかかる換気装置の平面図
【図１６】図１５に示すＸＶＩ−ＸＶＩ線で切断した矢視断面図
【図１７】図１５に示すＸＶＩＩ−ＸＶＩＩ線で切断した矢視断面図
【図１８】実施の形態２にかかる換気装置の斜視図
【発明を実施するための形態】
【００１０】
以下に、本発明の実施の形態にかかる換気装置を図面に基づいて詳細に説明する。なお、この実施の形態によりこの発明が限定されるものではない。
【００１１】
実施の形態１．
図１は、本発明の実施の形態１にかかる換気装置の斜視図である。図２は、実施の形態１にかかる換気装置の平面図である。図３は、実施の形態１にかかる換気装置の内部構成を示す斜視図である。図４は、図２に示すＩＶ−ＩＶ線で切断した矢視断面図である。図５は、図２に示すＶ−Ｖ線で切断した矢視断面図である。
【００１２】
換気装置１は、外郭を構成する筐体５０と、熱交換器１０と、第２の送風機である給気送風機３と、第１の送風機である排気送風機４とを備える。熱交換器１０、給気送風機３および排気送風機４は、筐体５０の内部に収容される。
【００１３】
給気送風機３と排気送風機４とは並んで配置されている。給気送風機３と排気送風機４とは、送風機部外壁６に囲まれた空間に収容される。給気送風機３と排気送風機４との間は、送風機部風路仕切板５で隔てられている。給気送風機３と排気送風機４と送風機部風路仕切板５とで送風機部２が構成される。送風機部外壁６および送風機部風路仕切板５は、筐体５０の一部を構成する。後に詳説するが、給気送風機３が駆動することで筐体５０の内部には室外から室内に向かう空気の流れである給気流が発生する。また、排気送風機４が駆動することで筐体５０の内部には室内から室外に向かう空気の流れである排気流が発生する。なお、給気送風機３は、自身が駆動した際に、後述する第２の開口２２と第４の開口２４とを通じて空気を吸い出す。排気送風機４は、自身が駆動した際に、後述する第１の開口２１と第３の開口２３とに空気を送り込む。
【００１４】
熱交換器１０は、複数の仕切部材１０ａが積層されて構成される。複数の仕切部材１０ａ同士の間には、図示を省略した間隔保持部材によって隙間が設けられている。熱交換器１０の形状は、仕切部材１０ａの積層方向に沿って延びる四角柱形状である。すなわち、熱交換器１０は、積層方向に垂直な方向を向く４つの面を有している。熱交換器１０の積層方向に垂直な方向を向く４つの面は、排気流が流入する排気流流入面５１と、排気流が流出する排気流流出面５２と、給気流が流入する給気流流入面５３と、給気流が流出する給気流流出面５４とに分けられる。排気流流入面５１と排気流流出面５２とは互いに反対方向を向く面となり、給気流流入面５３と給気流流出面５４とは互いに反対方向を向く面となる。排気流流入面５１は、給気流流入面５３および給気流流出面５４に隣接する。排気流流出面５２は、給気流流入面５３および給気流流出面５４に隣接する。なお、以下の説明において、仕切部材１０ａの積層方向を、単に積層方向という。
【００１５】
筐体５０には、積層方向に沿った熱交換器１０の一端側を覆う一端側壁部である風路転換壁１９と、積層方向に沿った熱交換器１０の他端側を覆う他端側壁部である他端壁５５とが設けられる。筐体５０は、排気流流入面５１が露出する排気流流入空間３６と、排気流流出面５２が露出する排気流流出空間３７と、給気流流入面５３が露出する給気流流入空間３８と、給気流流出面５４が露出する給気流流出空間３９とに内部を区画する左右仕切部材１３と上下仕切部材１４とを有する。具体的には、左右仕切部材１３と上下仕切部材１４とは、排気流流入面５１、排気流流出面５２、給気流流入面５３および給気流流出面５４同士の境界となる熱交換器１０の四隅に接するように設けられる。換気装置１のうち、熱交換器１０を収容する部分、すなわち排気流流入空間３６と、排気流流出空間３７と、給気流流入空間３８と、給気流流出空間３９と、風路転換壁１９と、他端壁５５とで熱交換部９が構成される。給気流流入面５３には給気用フィルター１１が設けられ、排気流流入面５１には排気用フィルター１２が設けられ、熱交換器１０が保護されている。
【００１６】
風路転換壁１９には、排気流流入空間３６に連通する第１の開口２１と、排気流流出空間３７に連通する第２の開口２２と、給気流流入空間３８に連通する第３の開口２３と、給気流流出空間３９に連通する第４の開口２４とが形成されている。
【００１７】
図６は、実施の形態１における熱交換部９の斜視図であって、ダンパーが上方に位置する状態を示す図である。図７は、実施の形態１における熱交換部９の斜視図であって、ダンパーが下方に位置する状態を示す図である。図６および図７では、理解の容易化のために、ダンパーにハッチングをしている。
【００１８】
風路転換壁１９には、第１の開口２１および第３の開口２３のいずれか一方を選択的に閉鎖する第１のダンパー２０ａと、第２の開口２２および第４の開口２４のいずれか一方を選択的に閉鎖する第２のダンパー２０ｂとが設けられている。第１のダンパー２０ａと第２のダンパー２０ｂとはそれぞれ独立して動作してもよいが、本実施の形態１では第１のダンパー２０ａと第２のダンパー２０ｂとが一体となってダンパー２０を構成している。ダンパー２０は、上下に移動することで、第１の開口２１と第４の開口２４とを閉鎖する状態と、第２の開口２２と第３の開口２３とを閉鎖する状態とに切替え可能とされる。なお、図示は省略するが、第２の開口２２にはフィルターが設けられている。
【００１９】
他端壁５５には、排気流流出空間３７に連通する第５の開口２５と、給気流流入空間３８に連通する第６の開口２６が形成されている。第５の開口２５および第６の開口２６は、筐体５０に接続される丸ダクトの円形状の風路を、筐体５０内部の風路に圧力損失なく導入するような形状を構成している。上下仕切部材１４も、屋外ダクト側は他端壁５５とスムーズに接続することが可能な傾斜部１４ａを有する形状となっている。なお、第５の開口２５および第６の開口２６は、筐体５０の外面のうち他端壁５５と異なる面に形成されていてもよい。
【００２０】
筐体５０には、給気（ＳＡ）ダクトガイド１５、還気（ＲＡ）ダクトガイド１６、屋外側ダクトガイド１７、屋外側ダクトガイド１８が設けられている。給気ダクトガイド１５、還気ダクトガイド１６、屋外側ダクトガイド１７、屋外側ダクトガイド１８は、筐体５０に形成された開口部分に取り付けられてダクトが接続されるダクト接続部である。給気ダクトガイド１５、還気ダクトガイド１６、屋外側ダクトガイド１７、屋外側ダクトガイド１８のそれぞれにダクトが接続されて、屋外の空気が筐体５０を通過して室内へ供給され、室内の空気が筐体５０を通過して屋外へ排出される。
【００２１】
ここで、換気装置１の概略構成をまとめると、送風機部２すなわち給気送風機３および排気送風機４は、風路転換壁１９を挟んで熱交換器１０の反対側に設けられる。また、給気ダクトガイド１５および還気ダクトガイド１６は、送風機部外壁６のうち風路転換壁１９と対向する部分に設けられている。
【００２２】
図８および図９は、実施の形態１における上下仕切部材１４の詳細な構成を示す斜視図である。上下仕切部材１４は、風路転換壁１９から他端壁５５に向かうにしたがって、端部の形状が変形していく構造を取っており、熱交換器１０の周辺の内、屋外側のダクトに繋がる上半分の面積を大きく取れるように変形していく。ただし、他端壁５５側の一定の領域を除いた領域は、水平を維持した形状となっている。
【００２３】
第５の開口２５の屋外側端部および第６の開口２６の屋外側端部から筐体５０の内部に向けて、丸型ダクトを接続する円形形状から熱交換器１０の周辺の台形形状への変換を行うために、他端壁５５は厚みを持たせた構造となっている。
【００２４】
換気装置１は、送風機部２の排気送風機４が配置された空間内に設けられた室内温度検知サーミスタ２７を備える。室内温度検知サーミスタ２７は、室内温度を検出する。室内温度検知サーミスタ２７は、排気送風機４が備えるモータの排熱温度の影響を避けるために、排気送風機４よりも上流側に設置される。換気装置１は、給気流流入空間３８に設置された熱交換換気時外気温度検知サーミスタ２８を備える。熱交換換気時外気温度検知サーミスタ２８は、熱交換換気時の外気温を検出する。換気装置１は、給気流流出空間３９に設置された普通換気時外気温度検知サーミスタ２９を備える。普通換気時外気温度検知サーミスタ２９は、普通換気時の外気温を検出する。
【００２５】
図１０は、実施の形態１にかかる換気装置１が、熱交換換気を行っている状態を示す斜視図である。図１１は、図１０に示す状態から送風機部２を省略して示す図である。熱交換換気時には、ダンパー２０は上方に位置して、第２の開口２２と第３の開口２３とを閉鎖している。図１０に示す状態で、給気送風機３と排気送風機４とが駆動されると熱交換換気が行われる。熱交換換気時には、排気流は、還気ダクトガイド１６から送風機部２に流入し、第１の開口２１を通って熱交換部９の排気流流入空間３６に流入する。その後、熱交換器１０、排気流流出空間３７を通過して、屋外側ダクトガイド１７に接続されたダクトを介して屋外へ排出される。排気流は、熱交換器１０を通過する前に排気用フィルター１２を通過する。
【００２６】
また、熱交換換気時には、給気流は、屋外側ダクトガイド１８に接続されたダクトを介して熱交換部９の給気流流入空間３８に流入する。その後、熱交換器１０、給気流流出空間３９に流入する。その後、第４の開口２４を通って送風機部２に流入し、給気ダクトガイド１５を通って室内に給気される。このように、給気流と排気流とが熱交換器１０を通過することで、給気流と排気流との間で熱交換が行われる。
【００２７】
図１２は、実施の形態１にかかる換気装置１が、普通換気を行っている状態を示す斜視図である。図１３は、図１２に示す状態から送風機部２を省略して示す図である。普通換気時には、ダンパー２０は下方に位置して、第１の開口２１と第４の開口２４とを閉鎖している。図１２に示す状態で、給気送風機３と排気送風機４とが駆動されると普通換気が行われる。普通換気時には、排気流は、還気ダクトガイド１６から送風機部２に流入し、第３の開口２３を通って熱交換部９の給気流流入空間３８に流入する。その後、熱交換器１０を通過せずに、屋外側ダクトガイド１８に接続されたダクトを介して屋外へ排出される。
【００２８】
また、普通換気時には、給気流は、屋外側ダクトガイド１７に接続されたダクトを介して熱交換部９の排気流流出空間３７に流入する。その後、熱交換器１０を通過せずに、第２の開口２２を通って送風機部２に流入し、給気ダクトガイド１５を通って室内に給気される。このとき、給気流は第２の開口２２に設けられたフィルターを通過する。このように、給気流と排気流とが熱交換器１０を通過しないことで、給気流と排気流との間で熱交換が行われない普通換気が行われる。
【００２９】
本実施の形態１では、熱交換換気時に排気流が通過する排気流流出空間３７を、普通換気時には給気流が通過する風路としているため、給気流をバイパスさせる風路を別個に設ける必要がない。また、熱交換換気時に給気流が通過する給気流流入空間３８を、普通換気時には排気流が通過する風路としているため、排気流をバイパスさせる風路を別個に設ける必要がない。そのため、装置の大型化を抑えつつ、普通換気と熱交換換気の両方を行うことができる換気装置１を得ることができる。また、普通換気時には、給気流および排気流の両方が熱交換器１０を通過しないので、圧力損失の軽減および騒音の抑制を図ることができる。
【００３０】
換気装置１は、制御回路ボックス３０内に制御回路３１を有している。室内温度検知サーミスタ２７、熱交換換気時外気温度検知サーミスタ２８、普通換気時外気温度検知サーミスタ２９は制御回路３１に接続されており、制御回路３１はそれらの温度情報を取得できる。制御回路３１内には、それらの温度情報と、予め工場出荷時点で設定された数値、もしくはリモコン３２などを通して使用者によって設定された数値によって普通換気か熱交換換気かを選択する機能を有している。
【００３１】
図１４は、実施の形態１にかかる換気装置１における、室内温度検知サーミスタ２７が検知する室内温度と熱交換換気時外気温度検知サーミスタ２８もしくは普通換気時外気温度検知サーミスタ２９が検知する外気温度による普通換気と熱交換換気の判定マップの一例を示す図である。図１４に示す判定マップでは、普通換気を許可するという最低外気温度３３と、室内温度がこれ以上であれば普通換気を許可する最低室内温度３４と、普通換気を許可する室内外温度差３５とが設定されている。なお、室内外温度差３５は、室内温度から外気温度を差し引くことで求められる。最低外気温度３３を示す線と、最低室内温度３４を示す線と、室内外温度差３５を示す線に囲まれた領域内にある場合には普通換気が実施され、その領域の外にある場合には熱交換換気が実施される。普通換気を実施するか熱交換換気を実施するかの判断は、一定の時間間隔を空けて行われる。一定の時間間隔は、数分から数十分間隔程度が例示される。
【００３２】
なお、給気送風機３および排気送風機４には、例えば遠心送風機であるシロッコファンまたはターボファンを用いることができる。また、排気流流出空間３７と給気流流出空間３９との上下の位置関係および給気流流入空間３８と排気流流入空間３６との上下の位置関係を、上述した例とは逆にしてもよい。すなわち、排気流流出空間３７が給気流流出空間３９の下に形成され、給気流流入空間３８が排気流流入空間３６の下に形成されてもよい。この場合には、上下仕切部材１４に形成された傾斜部１４ａの傾斜方向も逆方向となる。
【００３３】
また、送風機部２は、熱交換部９と分離可能とされていてもよい。例えば、換気装置１の設置スペースが限られている場合に、送風機部２と熱交換部９とを分離して設置し、両者をダクトで接続してもよい。
【００３４】
実施の形態２．
図１５は、本発明の実施の形態２にかかる換気装置の平面図である。図１６は、図１５に示すＸＶＩ−ＸＶＩ線で切断した矢視断面図である。図１７は、図１５に示すＸＶＩＩ−ＸＶＩＩ線で切断した矢視断面図である。図１８は、実施の形態２にかかる換気装置の斜視図である。図１８では、換気装置１０１の筐体５０を透過して内部構成も示している。なお、上記実施の形態１と同様の構成については、同様の符号を付して詳細な説明を省略する。
【００３５】
上記実施の形態１では、一端側壁部である風路転換壁１９が、給気ダクトおよび還気ダクトが接続される側である室内側の壁を構成していたが、本実施の形態２では、一端側壁部である風路転換壁１９が、屋外側ダクトが接続される側である室外側の壁を構成している。また、上記実施の形態１では、他端側壁部である他端壁５５が、屋外側ダクトが接続される側である室外側の壁を構成していたが、本実施の形態２では、他端側壁部である他端壁５５が、給気ダクトおよび還気ダクトが接続される側である室内側の壁を構成している。すなわち、本実施の形態２にかかる換気装置１０１では、送風機部２が、他端側壁部である他端壁５５側に設けられている。具体的には、給気送風機３および排気送風機４は、他端壁５５を挟んで熱交換器１０の反対側に設けられる。また、第２の送風機である給気送風機３は、第６の開口２６を通じて空気を吸い出す。第１の送風機である排気送風機４は、第５の開口２５に向けて空気を送り込む。
【００３６】
第５の開口２５は、排気流流入空間３６と熱交換器１０を介して排気流流出空間３７に連通している。第６の開口２６は、給気流流出空間３９と熱交換器１０を介して給気流流入空間３８に連通している。
【００３７】
また、風路転換壁１９を挟んだ熱交換器１０の反対側には、ダクト接続箱１０２が設けられる。ダクト接続箱１０２は、風路転換壁１９に形成された第１の開口２１、第２の開口２２、第３の開口２３、第４の開口２４を覆う箱体である。ダクト接続箱１０２の内部には、仕切壁１０３が設けられている。仕切壁１０３は、第１の開口２１と第３の開口２３が形成された空間と、第２の開口２２と第４の開口２４とが形成された空間とにダクト接続箱１０２の内部を仕切る。これにより、第１の開口２１または第３の開口２３を通過する空気と、第２の開口２２または第４の開口２４を通過する空気とが混合することが防止される。
【００３８】
ダクト接続箱１０２には、第１の開口２１および第３の開口２３が形成された空間に連通するダクト接続口１０４と、第２の開口２２および第４の開口２４が形成された空間に連通するダクト接続口１０５が形成されている。ダクト接続口１０４には屋外側ダクトガイド１７が設けられ、ダクト接続口１０５には屋外側ダクトガイド１８が設けられる（図１５も参照）。
【００３９】
ここで、換気装置１０１の概略構成をまとめると、送風機部２すなわち給気送風機３および排気送風機４は、他端壁５５を挟んで熱交換器１０の反対側に設けられる。また、給気ダクトガイド１５および還気ダクトガイド１６は、送風機部外壁６のうち他端壁５５と対向する部分に設けられている。また、屋外側ダクトガイド１７，１８は、ダクト接続箱１０２のうち風路転換壁１９と対向する部分に設けられている。
【００４０】
このように構成した場合であっても、第２の開口２２と第３の開口２３とをダンパー２０で閉鎖すれば熱交換換気が行われ、第１の開口２１と第４の開口２４とをダンパー２０で閉鎖すれば普通換気が行われる。なお、図１８では、第２の開口２２と第３の開口２３とがダンパー２０で閉鎖されて熱交換換気が行われている状態を示している。
【００４１】
なお、給気送風機３および排気送風機４には、例えば遠心送風機であるシロッコファンまたはターボファンを用いることができる。また、排気流流出空間３７と給気流流出空間３９との上下の位置関係および給気流流入空間３８と排気流流入空間３６との上下の位置関係を、上述した例とは逆にしてもよい。すなわち、排気流流出空間３７が給気流流出空間３９の上に形成され、給気流流入空間３８が排気流流入空間３６の上に形成されてもよい。この場合には、上下仕切部材１４に形成された傾斜部１４ａの傾斜方向も逆方向となる。
【００４２】
また、送風機部２およびダクト接続箱１０２は、熱交換部９と分離可能とされていてもよい。例えば、換気装置１の設置スペースが限られている場合に、送風機部２およびダクト接続箱１０２を熱交換部９から分離して設置し、送風機部２と熱交換部９との間をダクトで接続子、ダクト接続箱１０２と熱交換部９との間をダクトで接続してもよい。また、第５の開口２５および第６の開口２６は、筐体５０の外面のうち他端壁５５と異なる面に形成されていてもよい。この場合にも、送風機部外壁６が第５の開口２５および第６の開口２６を覆うように形成されていればよい。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４４】
１  換気装置、２  送風機部、３  給気送風機、４  排気送風機、５  送風機部風路仕切板、６  送風機部外壁、９  熱交換部、１０  熱交換器、１０ａ  仕切部材、１１  給気用フィルター、１２  排気用フィルター、１３  左右仕切部材、１４  上下仕切部材、１４ａ  傾斜部、１５  給気ダクトガイド、１６  還気ダクトガイド、１７  屋外側ダクトガイド、１８  屋外側ダクトガイド、１９  風路転換壁、２０  ダンパー、２０ａ  第１のダンパー、２０ｂ  第２のダンパー、２１  第１の開口、２２  第２の開口、２３  第３の開口、２４  第４の開口、２５  第５の開口、２６  第６の開口、２７  室内温度検知サーミスタ、２８  熱交換換気時外気温度検知サーミスタ、２９  普通換気時外気温度検知サーミスタ、３６  排気流流入空間、３７  排気流流出空間、３８  給気流流入空間、３９  給気流流出空間、５０  筐体、５１  排気流流入面、５２  排気流流出面、５３  給気流流入面、５４  給気流流出面、５５  他端壁、１０２  ダクト接続箱、１０３  仕切壁、１０４，１０５  ダクト接続口。
【図１】
2018173277.tif 000003
【図２】
2018173277.tif 000004
【図３】
2018173277.tif 000005
【図４】
2018173277.tif 000006
【図５】
2018173277.tif 000007
【図６】
2018173277.tif 000008
【図７】
2018173277.tif 000009
【図８】
2018173277.tif 000010
【図９】
2018173277.tif 000011
【図１０】
2018173277.tif 000012
【図１１】
2018173277.tif 000013
【図１２】
2018173277.tif 000014
【図１３】
2018173277.tif 000015
【図１４】
2018173277.tif 000016
【図１５】
2018173277.tif 000017
【図１６】
2018173277.tif 000018
【図１７】
2018173277.tif 000019
【図１８】
2018173277.tif 000020
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
複数の仕切部材が積層されて、前記仕切部材の積層方向と垂直な方向を向いて排気流が流入する排気流流入面と、前記仕切部材の積層方向と垂直な方向を向いて前記排気流が流出する排気流流出面と、前記仕切部材の積層方向と垂直な方向を向いて給気流が流入する給気流流入面と、前記仕切部材の積層方向と垂直な方向を向いて前記給気流が流出する給気流流出面とが形成された熱交換器と、
前記熱交換器を内部に収容して、前記積層方向に沿った前記熱交換器の一端側を覆う一端側壁部と、前記積層方向に沿った前記熱交換器の他端側を覆う他端側壁部と、を有するとともに、前記排気流流入面が露出する排気流流入空間と、前記排気流流出面が露出する排気流流出空間と、前記給気流流入面が露出する給気流流入空間と、前記給気流流出面が露出する給気流流出空間とに区画する筐体と、を備え、
前記一端側壁部には、前記排気流流入空間に連通する第１の開口と、前記排気流流出空間に連通する第２の開口と、前記給気流流入空間に連通する第３の開口と、前記給気流流出空間に連通する第４の開口とが形成され、
前記筐体には、前記排気流流出空間に連通する第５の開口と、前記給気流流入空間に連通する第６の開口が形成され、
前記第１の開口および前記第３の開口のいずれか一方を選択的に閉鎖する第１のダンパーと、
前記第２の開口および前記第４の開口のいずれか一方を選択的に閉鎖する第２のダンパーと、をさらに備えることを特徴とする換気装置。
【請求項２】
前記第１の開口および前記第３の開口に向けて空気を送り込む第１の送風機と、
前記第２の開口および前記第４の開口を通じて空気を吸い出す第２の送風機と、をさらに備えることを特徴とする請求項１に記載の換気装置。
【請求項３】
前記第１の送風機および前記第２の送風機は、前記一端側壁部を挟んで前記熱交換器の反対側に設けられることを特徴とする請求項２に記載の換気装置。
【請求項４】
前記第１の送風機および前記第２の送風機は、前記排気流および前記給気流の流れにおいて前記熱交換器よりも室内側に設けられていることを特徴とする請求項２または３に記載の換気装置。
【請求項５】
前記第１の送風機および前記第２の送風機を内部に収容する送風機部をさらに備え、
前記送風機部のうち前記一端側壁部と対向する部分にダクトが接続されるダクト接続部が設けられていることを特徴とする請求項３または４に記載の換気装置。
【請求項６】
前記第５の開口および前記第６の開口は、前記他端側壁部に形成されることを特徴とする請求項１から請求項５のいずれか１つに記載の換気装置。
【請求項７】
前記第５の開口に向けて空気を送り込む第１の送風機と、
前記第６の開口を通じて空気を吸い出す第２の送風機と、をさらに備えることを特徴とする請求項１に記載の換気装置。
【請求項８】
前記第１の送風機および前記第２の送風機は、前記他端側壁部を挟んで前記熱交換器の反対側に設けられることを特徴とする請求項７に記載の換気装置。
【請求項９】
前記第１の送風機および前記第２の送風機は、前記排気流および前記給気流の流れにおいて前記熱交換器よりも室内側に設けられていることを特徴とする請求項７または８に記載の換気装置。
【請求項１０】
前記第１の送風機および前記第２の送風機を内部に収容する送風機部をさらに備え、
前記送風機部のうち前記他端側壁部と対向する部分にダクトが接続されるダクト接続部が設けられていることを特徴とする請求項８または９に記載の換気装置。
【請求項１１】
前記第５の開口および前記第６の開口は、前記他端側壁部に形成されることを特徴とする請求項８から請求項１０のいずれか１つに記載の換気装置。
【請求項１２】
前記筐体は、前記一端側壁部を挟んで前記熱交換器の反対側に設けられて前記第５の開口および前記第６の開口を覆うダクト接続箱を有し、
前記ダクト接続箱のうち前記一端側壁部と対向する部分にダクトが接続されるダクト接続部が設けられていることを特徴とする請求項７から請求項１１のいずれか１つに記載の換気装置。
【請求項１３】
前記第１のダンパーと前記第２のダンパーとが一体に形成されており、前記第１の開口と前記第４の開口とを閉鎖する状態と、前記第２の開口と前記第３の開口とを閉鎖する状態とに切替え可能とされることを特徴とする請求項１から請求項１２のいずれか１つに記載の換気装置。
【国際調査報告】
2018173277.tif 000021
2018173277.tif 000022
2018173277.tif 000023